(57)【要約】【課題】本発明は、設置の際に大きなスペースの確保がいらず、かつ、安価な吊物の位置決め装置の提供を目的としている。【解決手段】本発明の吊物の位置決め装置１は、一端が固定端とされて舞台Ｓ上に設置される吊物２の上端に設けた動滑車２ｂに掛け回され、吊物２を舞台Ｓに対して複数位置に位置決めする位置決め用索８と、位置決め用索８の他端に連結されて伸縮駆動可能な電動シリンダ７とを備えて構成される。【選択図】図１
2018143556.tif 000002
【特許請求の範囲】
【請求項１】
一端が固定端とされて、舞台上に設置される吊物の上端に設けた動滑車に掛け回され、前記吊物を前記舞台に対して複数位置に位置決めする位置決め用索と、
前記位置決め用索の他端に連結されて伸縮駆動可能な電動シリンダとを備えた
ことを特徴とする吊物の位置決め装置。
【請求項２】
前記電動シリンダは、外力による伸縮の阻止が可能である
ことを特徴とする請求項１に記載の吊物の位置決め装置。
【請求項３】
前記電動シリンダは、前記吊物の位置調整範囲でストロークしても伸長側と収縮側にそれぞれストローク余裕を有する
ことを特徴とする請求項１または２に記載の吊物の位置決め装置。
【請求項４】
前記位置決め用索は、ブラケットを介して前記電動シリンダに連結され、
前記電動シリンダは、舞台上方に設置される簀子にヒンジ結合される固定部と、前記固定部に対して軸方向に移動可能であって前記ブラケットにヒンジ結合される可動部とを有し、
前記可動部の移動を案内するとともに前記電動シリンダを水平に保つガイド部材を備えた
ことを特徴とする請求項１から３のいずれか一項に記載の吊物の位置決め装置。
【請求項５】
前記吊物は、正面反射板である
ことを特徴とする請求項１から４のいずれか一項に記載の吊物の位置決め装置。
【発明の詳細な説明】
【技術分野】
【０００１】
この発明は、吊物の位置決め装置に関する。
【背景技術】
【０００２】
この種の吊物の位置決め装置としては、たとえば、舞台上に設置される音響反射板における正面反射板の位置決めに適用されたものが例としてあげられる。
【０００３】
音響反射板は、多目的ホールや劇場等の舞台上で音響機器を利用しない演奏を行う場合に演奏音が舞台に設置される幕類等に吸収されるのを防いで、演奏音を客席に反射して聴衆に効率的に届くようにする音響空間を提供するものである。
【０００４】
音響空間を構築するには、舞台の正面奥に配置される正面反射板と、舞台袖の両側に配置される側面反射板と、舞台上方に配置される天井反射板とでなる音響反射板を設ければよいが、多目的ホールでは、コンサートのほか演劇といった演目にあった舞台構築が必要である。
【０００５】
そのため、多目的ホールでは、演目に応じて音響反射板を格納、展開できるように、音響反射板を可動させる機構を取り入れており、音響反射板を可動とする機構としては、ホールの天井から索で吊り下げて必要に応じて音響反射板を舞台に下ろすものがある。
【０００６】
そして、正面反射板は、駆動用索の利用で昇降できるようになっていて、位置決め装置は、位置決め用索を利用してオーケストラの編成の大小に応じて正面反射板の位置を舞台の奥行方向で二箇所に位置決めを行う。
【０００７】
詳しくは、駆動用索は、一端が舞台の天井に固定され他端が舞台上方の簀子に設けた駆動用ウインチに連結され、位置決め用索は、一端が前記天井の駆動用索の固定位置よりも客席側に固定されるとともに他端が前記簀子に設けた位置決め用ウインチに連結される。
【０００８】
また、駆動用索の固定部と駆動用ウインチの直下には、それぞれ定滑車が設けられており、駆動用索の一端側および他端側がそれぞれ対応する定滑車に掛け回されていて、駆動用索は、これら定滑車を支点として動滑車の舞台の奥行方向への移動を許容する。他方、位置決め用索の固定部と位置決め用ウインチの直下には、それぞれ定滑車が設けられており、位置決め用索の一端側および他端側がそれぞれ対応する定滑車に掛け回されていて、位置決め用索は、これら定滑車を支点として動滑車の舞台の奥行方向への移動を許容する。
【０００９】
たとえば、駆動用ウインチと位置決め用ウインチで駆動用索と位置決め用索の繰り出し長さを調整して、駆動用索と位置決め用索の繰り出し長さを等しくすれば、正面反射板を大編成に対応する舞台奥に位置決めできる。正面反射板を舞台奥から小編成に対応する舞台手前へ位置決めする場合、位置決め用索が鉛直になるように長さ調整するとともに駆動用索を繰り出せばよい。さらに、正面反射板を舞台上方へ収納するには、駆動用ウインチで駆動用索を巻き取ればよい（たとえば、特許文献１参照）。
【先行技術文献】
【特許文献】
【００１０】
【特許文献１】特開２０１２−８０９０６号公報
【発明の概要】
【発明が解決しようとする課題】
【００１１】
前述したように、正面反射板の位置決めには位置決め用索を利用しており、正面反射板の設置位置に応じて位置決め用索の繰り出し長さを調節し、駆動用索を繰り出しおよび巻取するようにすれば、正面反射板を所望する位置に設置できる。
【００１２】
ところで、正面反射板の昇降の際の駆動用索の繰出し或いは巻取長さに対して、正面反射板の位置調整の際の位置決め用索の繰出し或いは巻取り長さは非常に短い。そして、正面反射板の昇降時には、位置決め用索の繰り出し長さの調整は行われないので、位置決め用索ウインチは、正面反射板の位置調整のみに使用される。
【００１３】
しかしながら、位置決め用索に用いるウインチのドラムの径は、規格上、索の径の数十倍としなければならない。よって、正面反射板の大編成と小編成の設置位置の間隔によっては、位置決め用ウインチは、位置決め用索の繰り出し長さの調節の際にドラムを半回転もさせない場合もある。
【００１４】
このように、位置決め用索の繰り出しおよび巻き取り長さが非常に短いにも関わらず、従来の位置決め装置では、大型で高価なウインチを利用している。よって、従来の位置決め装置には、スペースが限られた簀子上に大きな設置スペースを大きく確保しなくてはならず、装置が非常に高価となってしまう問題がある。これは、正面反射板だけでなくバトン等を含む吊物の位置決め装置に共通する課題である。
【００１５】
そこで、本発明は、設置の際に大きなスペースの確保がいらず、かつ、安価な吊物の位置決め装置の提供を目的としている。
【課題を解決するための手段】
【００１６】
前記した目的を達成するために、本発明の吊物の位置決め装置は、一端が固定端とされて、舞台上に設置される吊物の上端に設けた動滑車に掛け回され、吊物を舞台に対して複数位置に位置決めする位置決め用索と、位置決め用索の他端に連結されて伸縮駆動可能な電動シリンダとを備えて構成される。このように構成された吊物の位置決め装置は、位置決め用索の繰り出し長さの調整を電動シリンダのストロークによって賄って吊物の位置決めを行える。
【００１７】
また、吊物の位置決め装置は、外力による伸縮の阻止が可能な電動シリンダを利用してもよい。このように構成された吊物の位置決め装置は、電動シリンダで吊物の傾きを防止できる。
【００１８】
さらに、吊物の位置決め装置は、吊物の位置調整範囲でストロークしても伸長側と収縮側にそれぞれストローク余裕を有する電動シリンダを利用してもよい。このように構成された吊物の位置決め装置は、長期間の使用により、或いは、温度変化によって位置決め用索の全長が変化しても、全長の変化に合わせて電動シリンダのストローク範囲を伸長側或いは収縮側へシフトすれば当該変化を吸収でき、位置決め用索の連結具の調整作業の頻度を緩和できる。
【００１９】
また、吊物の位置決め装置は、位置決め用索がブラケットを介して電動シリンダに連結され、電動シリンダが簀子にヒンジ結合される固定部と固定部に対して直動するとともにブラケットにヒンジ結合される可動部とを有し、可動部の移動を案内するとともに電動シリンダを水平に保つガイド部材を備えていてもよい。このように構成された吊物の位置決め装置は、簀子に撓みや公差があっても可動部の先端を適正な位置に案内でき、位置決め用索からの横力の入力を回避できる。
【００２０】
さらに、吊物の位置決め装置は、吊物を正面反射板とすると位置決めに好適である。
【発明の効果】
【００２１】
本発明によれば、設置の際に大きなスペースの確保がいらず、かつ、吊物の位置決め装置が安価となる。
【図面の簡単な説明】
【００２２】
【図１】正面反射板を大編成位置に位置決めした状態における一実施の形態の吊物の位置決め装置の側面図である。
【図２】正面反射板を小編成位置に位置決めした状態における一実施の形態の吊物の位置決め装置の側面図である。
【図３】一実施の形態の吊物の位置決め装置における電動シリンダの平面図である。
【図４】図３の電動シリンダとブラケットのＡＡ断面図である。
【発明を実施するための形態】
【００２３】
以下に、図示した実施の形態に基づいて、この発明を説明する。本実施の形態における吊物の位置決め装置１は、図１および図２に示すように、多目的ホールにおける舞台Ｓに音響空間を構築する音響反射板の一部である正面反射板２を吊物としている。そして、本例の吊物の位置決め装置１は、舞台Ｓの奥側の大編成のオーケストラを収容するための大編成位置と舞台Ｓの手前側の小編成のオーケストラを収容するための小編成位置との二位置に正面反射板２を位置決めするようになっている。
【００２４】
多目的ホールは、図１に示すように、舞台Ｓと客席Ｇとを備えており、舞台Ｓの天井Ｃ１と客席Ｇの天井Ｃ２上方との間には垂れ壁Ｈが設けられていて、舞台Ｓの上方の天井Ｃ１の高さは、客席Ｇの上方の天井Ｃ２よりも高くなっている。また、舞台Ｓの上方には、天井Ｃ１に間隔を空けてウインチの設置や道具類を吊り下げるための二段に形成された簀子Ｔが設けられている。なお、舞台Ｓの奥とは、客席Ｇから見た際の舞台Ｓの奥を指しており、舞台Ｓの手前とは、客席Ｇから見た際の舞台Ｓの手前を指している。したがって、舞台Ｓの奥行方向とは、図１中で左右方向を示しており、舞台Ｓの間口方向とは、図１中紙面を貫く方向を指している。
【００２５】
音響反射板は、図１に示すように、客席Ｇに対面するように舞台Ｓに対して間口方向に沿って設置される正面反射板２と、正面反射板２の両端から舞台Ｓに対して客席Ｇ側へ向けて設置される図外の一対の側面反射板と、正面反射板２および各側面反射板の上方に配置される天井反射板３とで構成される。正面反射板２、各側面反射板および天井反射板３とで舞台Ｓ上に客席Ｇ側のみ開口する箱形の音響反射板が構成されると、音響反射板の内方に音響空間が形成される。本例では、天井反射板３の客席側端を垂れ壁Ｈの下端近くに配置するようにしているが、垂れ壁Ｈの舞台Ｓ側に垂れ壁Ｈに沿って昇降して舞台Ｓの上下画角を変更可能なプロセニアムを用いる場合には、プロセニアムの下端に合わせて天井反射板３を配置すればよい。
【００２６】
天井反射板３は、本体３ａと、本体３ａの舞台奥側にヒンジ結合された後端３ｂとを備えた折り畳み可能の反射板とされている。そして、この天井反射板３は、三つの索３１，３２，３３で吊り下げられており、そのうち索３１，３３の一端が簀子Ｔに連結され簀子Ｔに設置したウインチ３４，３６に接続されている。そして、ウインチ３４，３６の操作で、索３１，３３の繰り出し長さを調節して天井反射板３を舞台Ｓの上方への格納と図１および図２に示す使用位置へ位置決めできるようになっている。そして、大編成のオーケストラを収容する場合には、図１に示すように、本体３ａに沿って後端３ｂを舞台奥側へ伸ばして両者を面一となるように配置して、本体３ａおよび後端３ｂを共に反射板として機能させる。他方、小編成のオーケストラを収容する場合には、図２に示すように、本体３ａに対して後端３ｂを客席Ｇ側へ向けて跳ね上げて折り畳んで本体３ａのみを反射板として機能させる。このように、本例では、天井反射板３が折り畳み可能の反射板として、有効奥行長さを変更可能としている。
【００２７】
正面反射板２は、図１に示すように、音を反射する板状の本体２ａと、本体２ａの上端に設けた動滑車２ｂとを備えて構成されている。動滑車２ｂには、一端が簀子Ｔに連結されて固定端とされて他端が簀子Ｔに設置された駆動用ウインチＷに連結される駆動用索４が掛け回されている。また、簀子Ｔには、駆動用索４の一端の簀子Ｔへの連結部位と駆動用ウインチＷの双方の下方にそれぞれ定滑車５，６が設けられており、駆動用索４は、これら定滑車５，６にガイドされて下方へ垂らされている。そして、駆動用ウインチＷは、駆動用索４を巻き取って繰り出し長を短くすると正面反射板２を上昇させ、駆動用索４を繰り出して繰り出し長を長くすると正面反射板２を下降させる。
【００２８】
吊物の位置決め装置１は、簀子Ｔに設置した電動シリンダ７と、一端が簀子Ｔに連結されて固定端とされるとともに他端が電動シリンダ７に連結されて正面反射板２の動滑車２ｂに掛け回される位置決め用索８とを備えて構成されている。本例では、電動シリンダ７は、一つの正面反射板２に対して間口方向に間隔を空けて複数設置されていて、位置決め用索８は、一つの電動シリンダ７に対して三本が連結されるようになっている。また、簀子Ｔには、位置決め用索８の一端の簀子Ｔへの連結部位の下方とその近傍にそれぞれ定滑車９，１０が設けられており、各位置決め用索８は、それぞれ定滑車９，１０にガイドされて下方へ垂らされて動滑車２ｂに掛け回されている。なお、位置決め用索８の一端は、簀子Ｔに対してターンバックルを備えた連結具Ｊを介して連結されており、連結具Ｊのターンバックルの操作によって、位置決め用索８の簀子Ｔへの固定点から電動シリンダ７への連結点までの長さを調節可能となっている。
【００２９】
そして、位置決め用索８をガイドする定滑車９，１０は、駆動用索４をガイドする定滑車５，６よりも舞台Ｓの手前側に配置されていて、図２に示すように、小編成のオーケストラに対応する正面反射板２の設置位置の上方に設けられている。また、定滑車９，１０でガイドされる位置決め用索８の一端側と他端側の間隔は、動滑車２ｂの位置決め用索８が掛け回される部位の直径と略等しくなるように設定されていて、動滑車２ｂで折り返した位置決め用索８の両側が平行に配置される。このようにすると、定滑車９，１０でガイドされる位置決め用索８に吊られた状態で正面反射板２が舞台Ｓに対して奥行方向へ変位しても位置決め用索８同士が干渉しにくくなるとともに、定滑車９，１０の設置位置の設定も容易で設置スペースも少なくて済む。
【００３０】
電動シリンダ７は、図３に示すように、モータＭを備えた筒状の固定部７ａと、固定部７ａ内に軸方向移動自在に挿入されてモータＭの駆動によって固定部７ａに対して軸方向へ移動可能な筒状の可動部７ｂとを備え、伸縮駆動可能とされている。本例では、電動シリンダ７は、固定部７ａに対して可動部７ｂが周方向へ回り止めされており、可動部７ｂ側に図示しないナットが設けられ、固定部７ａ内にモータＭによって駆動されて前記ナットに螺合する螺子軸が設けられている。よって、モータＭを駆動すると、螺子軸が回転駆動され固定部７ａに対して可動部７ｂが周方向へ回り止めされる関係で、送り螺子の要領でナットが螺子軸上を軸方向に移動するので、電動シリンダ７が伸縮するようになっている。また、モータＭと螺子軸との間には、図外の減速機が設けられており、減速機を通じてモータＭの動力を螺子軸に伝達するようになっている。そして、減速機は、本例では、セルフロック機能付の減速機とされており、モータＭ側から螺子軸を駆動できるが、外力で可動部７ｂ側から軸力が入力されても電動シリンダ７が伸縮できないようになっている。なお、減速機にセルフロック機能を持たせるのではなくて、前述の螺子軸とナットとでセルフロック機能を実現してもよい。また、電動シリンダ７は、モータＭの駆動によって固定部７ａに対して可動部７ｂが軸方向へ相対移動するものであればよいので、構造は前述した構造に限られない。さらに、減速機その他にセルフロック機能を持たせるのではなく、固定部７ａに対する可動部７ｂの軸方向の相対移動を阻止するブレーキを設けるようにしてもよい。
【００３１】
そして、図３に示すように、可動部７ｂの先端には、環状の取付部７ｃが設けられており、本例では、三本の位置決め用索８が連結されるブラケット１１がこの取付部７ｃにヒンジ結合されている。ブラケット１１は、プレート１１ａと、プレート１１ａから取付部７ｃ側へ延びて取付部７ｃを挟む位置に配置される一対の取付片１１ｂと、プレート１１ａから位置決め用索８側へ延びる四つの索取付片１１ｃと、取付部７ｃ内に挿入されるともに取付片１１ｂを貫いて図３中上下両側へ突出する取付ピン１１ｄと、取付ピン１１ｄの両端に回転自在に装着される一対のローラ１１ｅと、索取付片１１ｃを貫通してこれらに固定される索取付ロッド１１ｆとを備えて構成されている。
【００３２】
そして、各位置決め用索８の他端である電動シリンダ７側端は、ループ加工されていて、環状のアイ部が形成されており、索取付片１１ｃ間にアイ部を挿入して、索取付ロッド１１ｆをアイ部に挿入しつつ索取付片１１ｃに装着すると、ブラケット１１に三つの位置決め用索８が連結される。また、ブラケット１１は、電動シリンダ７の可動部７ｂにおける取付部７ｃに取付ピン１１ｄで連結される。
【００３３】
また、簀子Ｔには、図３および図４に示すように、断面Ｃ型であって互いに開口側を可動部７ｂの先端のストローク範囲に向け合って可動部７ｂの両側にそれぞれ配置されるガイド部材１２が設けられている。ガイド部材１２は、簀子Ｔに対して舞台Ｓに対して平行であって舞台Ｓの奥行方向に沿って取り付けられている。そして、ガイド部材１２内には、取付ピン１１ｄの両端に設けたローラ１１ｅが挿入されており、ローラ１１ｅは、ガイド部材１２内を走行できるようになっている。
【００３４】
さらに、電動シリンダ７は、図３に示すように、固定部７ａの端部側方には、トラニオン７ｄが設けられており、簀子Ｔにはトラニオン７ｄを回転自在に保持する保持部１３が設けられている。よって、固定部７ａが簀子Ｔに対してトラニオン７ｄを中心として図１中上下方向へ回転可能に連結され、可動部７ｂはブラケット１１にヒンジ結合される。他方、可動部７ｂは、ブラケット１１の取付ピン１１ｄにヒンジ結合されてはいるものの、取付ピン１１ｄの両端のローラ１１ｅがガイド部材１２を走行するので、可動部７ｂは、ガイド部材１２によって案内されて舞台Ｓの奥行方向へ移動できる。よって、電動シリンダ７は、簀子Ｔに水平横置きに取付けられて、固定部７ａに対して可動部７ｂを舞台Ｓの奥行方向に沿って相対移動させて伸縮するようになっている。
【００３５】
このように、電動シリンダ７は、固定部７ａが簀子Ｔにヒンジ結合され、可動部７ｂが位置決め用索８に連結されたブラケット１１にヒンジ結合されるとともに、ガイド部材１２によって水平に保たれるよう設置されるので、簀子Ｔに寸法公差や撓みがあっても無理なく簀子Ｔに設置できる。なお、電動シリンダ７は、簀子Ｔに固定部７ａを固定的に取付けて設置されてもよいが、電動シリンダ７は最伸長すると長尺で簀子Ｔに撓みや公差があると可動部７ｂの先端が定滑車１０に対して上下方向にずれてしまう場合がある。そうすると、位置決め用索８の直力によって電動シリンダ７に無用な横荷重が作用してしまう場合があるが、前述の構造を採用すると、簀子Ｔの撓みや公差によらず、定滑車１０の近傍まで延びるガイド部材１２で可動部７ｂの先端を適正な位置に案内できるので、このような横力の入力を回避できる。また、正面反射板２が図１の破線で示す格納位置に配置されて、位置決め用索８で正面反射板２の重量を全く分担しない状態となっても、電動シリンダ７が水平姿勢に保たれて電動シリンダ７がトラニオン７ｄを中心として可動部７ｂ側が下方へ回転しないので、電動シリンダ７の配線や信号線を傷めることもない。
【００３６】
つづいて、このように構成された吊物の位置決め装置１の作動について説明する。図１に示すように、駆動用ウインチＷで駆動用索４を最大限に巻き取ると、正面反射板２を破線で示す舞台Ｓの奥側の上方の格納位置に配置できる。この状態では、正面反射板２は、駆動用索４の張力のみで吊られた状態となっており、吊物の位置決め装置１における位置決め用索８は、破線で示すように、弛んで自重で撓んだ状態となっている。この状態では、電動シリンダ７を伸長させてあるが収縮させておいてもよい。
【００３７】
次に、正面反射板２を大編成のオーケストラを収容する大編成位置に位置決めするには、電動シリンダ７を予め定めた設定範囲内で最伸長させて位置決め用索８の繰り出し長さを設定された範囲で最長とする。そして、駆動用ウインチＷで駆動用索４を繰り出して、正面反射板２を格納位置から徐々に下降させる。正面反射板２が下降して下端が舞台Ｓに近づくと、位置決め用索８でも正面反射板２の重量を分担して支持するようになり、正面反射板２が図１中で実線で示す大編成位置に位置決めされる状態では、駆動用索４と位置決め用索８の張力が釣り合って両者が等分に正面反射板２の重量を支持するようになる。このように正面反射板２が大編成位置に位置決めされると、正面反射板２の舞台Ｓの手前側への傾きに対しては駆動用索４で、正面反射板２の舞台Ｓの奥側への傾きに対しては位置決め用索８で阻止される。電動シリンダ７は、外力で伸縮しないようにロック状態となり、駆動用ウインチＷにもブレーキが設けられているので、正面反射板２の傾きを防止できる。
【００３８】
さらに、正面反射板２を大編成位置から小編成のオーケストラを収容する図２に示す小編成位置に位置決めするには、電動シリンダ７を収縮させて位置決め用索８の繰り出し長さを短くして正面反射板２を舞台Ｓから一端浮かせ、続き、駆動用ウインチＷで駆動用索４を繰り出しつつ、電動シリンダ７を収縮させて位置決め用索８の繰り出し長さを短くしていく。すると、正面反射板２の分担する重量が駆動用索４から位置決め用索８へ移っていき、最終的に、位置決め用索８が定滑車９，１０から鉛直に吊り下げられる状態となり、正面反射板２が図２に示す小編成位置に位置決めされる。このように正面反射板２が小編成位置に位置決めされると、位置決め用索８で正面反射板２の傾きが阻止される。
【００３９】
このように吊物の位置決め装置１は、位置決め用索８の繰り出し長さの調整を電動シリンダ７のストロークによって賄って吊物としての正面反射板２の位置決めを行える。なお、大編成位置と小編成位置の中間に正面反射板２の停止位置を一つ或いは複数設定してもよく、これらの停止位置への位置決めも電動シリンダ７の伸縮によって行える。つまり、正面反射板２の位置決めの際に位置決め用索８における繰り出し長さの調整量は、電動シリンダ７のストローク量で対応でき、従来のように高価なウインチを利用する必要がなくなるのである。正面反射板２の舞台Ｓ上での位置調整は、位置決め用索８の繰り出し長さの調整量が比較的少ないので、本発明の吊物の位置決め装置１は、正面反射板２の位置決めに好適である。
【００４０】
以上より、本発明の吊物の位置決め装置１によれば、高価で大型なウインチに比して簀子Ｔへの設置スペースを取らず安価な電動シリンダ７を利用しているので、吊物の位置決め装置１を簀子Ｔに設置する際に大きなスペースの確保が不要となり、かつ、吊物の位置決め装置１が安価となる。
【００４１】
なお、電動シリンダ７で正面反射板２を大編成位置に位置決めした状態でも、電動シリンダ７の伸長側へのストロークに余裕を持たせてあり、電動シリンダ７で正面反射板２を小編成位置に位置決めした状態でも、電動シリンダ７の収縮側へのストロークに余裕を持たせている。つまり、本例では、電動シリンダ７は、正面反射板２の位置調整範囲でストロークしても伸長側と収縮側にそれぞれストローク余裕を有している。なお、具体的には、電動シリンダ７の正面反射板２の位置決めにあたってストロークする範囲は前述した所定の範囲に設定してあり、伸長側にも収縮側にもストローク余裕が生じるように位置決め用索８の全長を初期設定してある。したがって、長期間の使用により、或いは、温度変化によって位置決め用索８の全長が変化しても、ある程度は、全長の変化に合わせて電動シリンダ７を正面反射板２の位置調整時に使用するストロークさせる範囲を伸長側或いは収縮側へのシフトによって当該変化を吸収できる。よって、位置決め用索８の全長が変化すると連結具Ｊによる調整を行うといった面倒な作業の頻度を緩和できる。
【００４２】
なお、本例では、吊物として正面反射板２の位置決めを行う例を挙げて本発明を説明しているが、本発明の吊物の位置決め装置１は、正面反射板２の他にもホールや劇場にて位置決めが必要な簀子Ｔから吊り下げられる器具等、吊物全般に器具の位置決めに利用できる。
【００４３】
以上、本発明の好ましい実施の形態を詳細に説明したが、特許請求の範囲から逸脱しない限り、改造、変形及び変更が可能である。
【符号の説明】
【００４４】
１・・・吊物の位置決め装置、２・・・正面反射板（吊物）、２ｂ・・・動滑車、７・・・電動シリンダ、７ａ・・・固定部、７ｂ・・・可動部、８・・・位置決め用索、１１・・・ブラケット、１２・・・ガイド部材、Ｓ・・・舞台、Ｔ・・・簀子
【図１】
2018143556.tif 000003
【図２】
2018143556.tif 000004
【図３】
2018143556.tif 000005
【図４】
2018143556.tif 000006